(57)【要約】【課題】読取性能の低い機器を用いても、査証の偽変造を確実に検出し、申請者が在外公館に出向かなくても顔情報付査証が発行可能であることを目的とする。【解決手段】査証発行装置２は、ＩＣ旅券６のＩＣチップから、顔画像情報を読み出し、読み出した顔画像情報を、２次元バーコードに変換した後、査証面上に印刷することで顔情報付査証５を発行する。また、本人確認装置３は、顔情報付査証５、ＩＣ旅券６、カメラ部４からそれぞれ取得した顔画像情報を比較することによって本人確認を行う。【選択図】図１
2008179014.tif 000002
【特許請求の範囲】
【請求項１】
生体情報を格納する生体情報付査証を発行する査証発行装置であって、
ＩＣ旅券に格納されている生体情報を取得する生体情報読取部、
前記取得した生体情報を、データコードへ変換するデータコード部、
および前記データコードを前記生体情報付査証面上に印刷する印刷部を有することを特徴とする査証発行装置。
【請求項２】
前記データコードとは、２次元バーコードであることを特徴とする請求項１に記載の査証発行装置。
【請求項３】
前記生体情報とは、顔画像の情報である顔画像情報であることを特徴とする請求項１に記載の査証発行装置。
【請求項４】
前記査証発行装置は、
前記生体情報読取部によって、取得された生体情報に対して、暗号化を施し、前記暗号化を施された生体情報を、前記データコード部へ送る暗号化部をさらに有することを特徴とする請求項１に記載の査証発行装置。
【請求項５】
前記印刷部は、
前記データコードを、特殊なインクによって前記生体情報付査証面上に印刷する機能をさらに有することを特徴とする請求項１に記載の査証発行装置。
【請求項６】
生体情報が格納されたＩＣ旅券および生体情報を示すデータコードが印刷されている生体情報付査証に格納されている生体情報を基に、前記ＩＣ旅券および前記生体情報付査証の所有者の正当性を判定する本人確認装置であって、
前記生体情報付査証に印刷されているデータコードを読み取る査証情報読取部、
前記読み取ったデータコードから、第１の生体情報を復元する生体情報復元部、
ＩＣ旅券に格納されている第２の生体情報を取得するＩＣ旅券情報読取部、
前記生体情報付査証および前記ＩＣ旅券の所有者に関する第３の生体情報を取得する第３生体情報取得部、
および前記第１の生体情報、前記第２の生体情報および前記第３の生体情報を比較することによって、前記第１の生体情報、前記第２の生体情報および前記第３の生体情報が、同一人物から得られた生体情報であるか否かを判定する生体情報比較部を有することを特徴とする本人確認装置。
【請求項７】
前記データコードとは、２次元バーコードであることを特徴とする請求項６に記載の本人確認装置。
【請求項８】
前記データコードが示す情報は、暗号化された生体情報であり、
前記本人確認装置は、
前記査証情報読取部が読み取ったデータコードを、復号化して、前記複合化されたデータコードを、前記生体情報復元部へ送る復号化部をさらに有することを特徴とする請求項６に記載の本人確認装置。
【請求項９】
請求項１から請求項５のいずれか一項に記載の査証発行装置、および請求項６から請求項８のいずれか一項に記載の本人確認装置を含んで構成されることを特徴とする査証偽変造対策システム。
【請求項１０】
生体情報を格納する生体情報付査証を発行する査証発行装置における査証発行方法であって、
ＩＣ旅券に格納されている生体情報を取得するステップと、
前記取得した生体情報を、データコードへ変換するステップと、
前記データコードを前記生体情報付査証面上に印刷するステップとを有することを特徴とする査証発行方法。
【請求項１１】
生体情報が格納されたＩＣ旅券および生体情報を示すデータコードが印刷されている生体情報付査証に格納されている生体情報を基に、前記ＩＣ旅券および前記生体情報付査証の所有者の正当性を判定する本人確認装置における本人確認方法であって、
前記生体情報付査証に印刷されているデータコードを読み取るステップと、
前記読み取ったデータコードから、第１の生体情報を復元するステップと、
ＩＣ旅券に格納されている第２の生体情報を取得するステップと、
前記生体情報付査証および前記ＩＣ旅券の所有者に関する第３の生体情報を取得するステップと、
前記第１の生体情報、前記第２の生体情報および前記第３の生体情報を比較することによって、前記第１の生体情報、前記第２の生体情報および前記第３の生体情報が、同一人物から得られた生体情報であるか否かを判定するステップとを有することを特徴とする本人確認方法。
【発明の詳細な説明】
【技術分野】
【０００１】
本発明は、査証における査証発行装置、本人確認手段、査証偽変造対策システム、査証発行方法および本人確認方法の技術に関するものである。
【背景技術】
【０００２】
現在、使用されている日本国査証（ビザ）は、機械読み取り可能査証（Machine Readable Visa：ＭＲＶ）であり、顔写真付きでシール式、表面にラミネート加工されているものである。このＭＲＶにおいては、入国時において、ＭＲＶに印刷されている文字を、スキャナなどの光学読取装置で読み取り、コンピュータがこれらの文字を識別した上で、情報として認識する。
そして、入国時における査証の本人確認は、入国審査官が入国者の顔と査証券面状の顔写真とを目視することによって行っている。このような本人確認は、ＭＲＶも、ＭＲＶでない査証も同様の手順で行われている。
【０００３】
ところで、顔写真などの入った身分証明書、旅券などにおいて、顔画像情報を２次元バーコードとして印刷し、当該身分証明書や、パスポートなどをリーダに通すことによって顔画像を再現（復元）し、当該身分証明書や、パスポートなどに貼付された顔写真と照合検証する顔写真検証システムが開示されている（例えば、特許文献１参照）。
【０００４】
さらに、旅券ＩＤ（Identification）情報としてパスポート申請者の顔画像データ（顔画像情報）を登録したＩＤチップ付きパスポート（ＩＣ（Integrated Circuit）旅券）を用いる技術として、以下に記載する技術がある。すなわち、ＩＤチップ読み出し装置によって、ＩＤチップ付きパスポートから、顔画像データを読み出し、さらに、画像入力装置が、ＩＤチップ付きパスポートに印刷されている証明用顔写真（顔写真）を読み込む。そして、処理装置が、読み込んだ情報を基に、ＩＤチップ付きパスポートに印刷されている顔と、ＩＤチップから読み出した顔画像データとの相違点を検出することによって、ＩＤチップ付きパスポートの偽造を自動的に検出するパスポート偽造自動検出装置およびパスポート偽造自動検出システムが開示されている（例えば、特許文献２参照）。
【特許文献１】特開平１１−１９８５７３号公報（請求項１）
【特許文献２】特開２００３−２４８８０２号公報（請求項１）
【発明の開示】
【発明が解決しようとする課題】
【０００５】
しかしながら、ＭＲＶなどの査証に貼付された顔写真が張り替えられたり、査証そのものが偽変造されたりしている場合、目視による確認では、このような顔写真の張り替えや、偽変造を発見することが困難であった。
【０００６】
また、特許文献１および特許文献２では、パスポート上に印刷された顔写真を読み込んだデータを用いて、整合性のチェックを行うため、画像入力装置の写真読取性能にチェックの結果が左右されるという問題がある。
そして、特許文献２では、旅券の所持者と、当該旅券に記載されている人物とが同一人物であるか否かをチェックするものであり、査証までチェックすることを想定したものではない。
【０００７】
さらに、例えば特許文献１に記載されている技術を査証に適用することによって生体情報付査証を作成する場合、査証に生体情報を格納する際、すなわち査証の発行時に、生体情報を提供するために申請者本人が在外公館を訪れなければならないといった問題があった。
本発明は、このような問題を解決することを課題とする。
【課題を解決するための手段】
【０００８】
前記した課題を解決するため、本発明の一の手段は、生体情報を格納する生体情報付査証の発行において、ＩＣ旅券に格納されている生体情報を取得し、取得した生体情報を、データコードへ変換し、このデータコードを生体情報付査証面上に印刷することを特徴とする。
【０００９】
さらに、本発明の他の手段は、ＩＣ旅券および生体情報を示すデータコードが印刷されている生体情報付査証に格納されている生体情報を基にしたＩＣ旅券および生体情報付査証の所有者の正当性の判定において、生体情報付査証に印刷されているデータコードを読み取り、読み取ったデータコードから、第１の生体情報を復元し、ＩＣ旅券に格納されている第２の生体情報を取得し、査証およびＩＣ旅券を所有者に関する第３の生体情報を取得し、第１の生体情報、第２の生体情報および第３の生体情報を比較することによって、第１の生体情報、第２の生体情報および第３の生体情報が、同一人物から得られた生体情報であるか否かを判定することを特徴とする。
【発明の効果】
【００１０】
一の発明によれば、ＩＣ旅券に格納されている生体情報を、査証面上へ移すことができる。これにより、例えば代理人がＩＣ旅券を持参すれば、生体情報付査証を作成することが可能であり、申請者本人が在外公館を訪れる必要がない。
【００１１】
さらに、他の発明によれば、査証に格納されている生体情報、ＩＣ旅券に格納されている生体情報、査証およびＩＣ旅券の所有者に関する生体情報といった、３つの生体情報を比較することにより、査証の偽変造の検出を確実にすることができる。また、データコードを読み取ればいいので、査証に貼付されている顔写真を読み込む必要がなく、読取性能の低い光学読取装置を用いて実現することができる。
【発明を実施するための最良の形態】
【００１２】
以下に、図面を参照して本発明による査証偽変造対策システム１の実施形態について説明する。
なお、本実施形態における顔情報付査証５（生体情報付査証）とは、ＭＲＶ上に生体情報としての顔画像情報を２次元バーコード（データコード）として印刷した査証である。以下、ＭＲＶを「査証」と記載することとする。
【００１３】
図１は、本実施形態に係る査証偽変造対策システムの機能ブロック図である。
査証偽変造対策システム１は、在外公館に設置される（在外公館側）査証発行装置２と、国際空港に設置される（国際空港側）本人確認装置３とを有してなる。
査証発行装置２は、ＩＣ旅券６のＩＣチップに格納されている顔画像情報を読み込み、この顔画像情報を２次元バーコードの情報へ変換した後、変換した２次元バーコードの情報を査証面上へ印刷することによって、顔情報付査証５を発行する機能を有する。
なお、これより以降、顔情報付査証５に２次元バーコードの形で格納されている顔画像情報を「顔画像情報Ａ（第１の生体情報）」とし、ＩＣ旅券６のＩＣチップに格納されている顔画像情報を「顔画像情報Ｂ（第２の生体情報）」とし、カメラ部４で入国者の顔を撮影することにより生成される顔画像情報を「顔画像情報Ｃ（第３の生体情報）」として、それぞれの顔画像情報を適宜区別することとする。
【００１４】
本人確認装置３は、査証発行装置２によって発行された顔情報付査証５から顔画像情報Ａを読み取り、ＩＣ旅券６に設けられたＩＣチップに格納されている顔画像情報Ｂを読み取り、さらに外部装置であるカメラ部４で入国者の顔を撮影した結果生成される顔画像情報Ｃを取得し、顔画像情報Ａ〜Ｃのそれぞれを比較することによって、本人確認を行う機能を有する。
【００１５】
次に、査証発行装置２について詳細に説明する。
査証発行装置２は、顔画像読取部２０１（生体情報読取部）、暗号化部２０２、バーコード部２０３（データコード部）および印刷部２０４を有してなる。
顔画像読取部２０１は、ＩＣ旅券６に設けられているＩＣチップに格納されている顔画像情報を読み取る機能を有する。暗号化部２０２は、顔画像読取部２０１が読み取った顔画像情報に暗号化を施す機能を有する。バーコード部２０３は、暗号化部２０２によって暗号化を施された顔画像情報を２次元バーコードの情報へ変換する機能を有する。そして、印刷部２０４は、バーコード部２０３で変換された２次元バーコードの情報を、査証面上へ印刷することによって、顔情報付査証５を発行する機能を有する。
【００１６】
なお、図１において、ＩＣ旅券６と、顔情報付査証５とは、便宜上分離した状態で描画されているが、実際には、顔情報付査証５は、発行後、ＩＣ旅券６に貼付される。
【００１７】
次に、本人確認装置３について詳細に説明する。
本人確認装置３は、査証情報読取部３０１、復号化部３０２、顔画像復元部３０３（生体情報復元部）、ＩＣ旅券情報読取部３０４、カメラ画像取得部３０５（第３生体情報取得部）、顔画像比較部３０６（生体情報比較部）、表示処理部３０７および表示部３０８を有してなる。
査証情報読取部３０１は、顔情報付査証５に印刷されている２次元バーコードを読み取ることによって、２次元バーコードの情報を読み取る機能を有する。査証情報読取部３０１は、具体的には、スキャナなどの光学読取装置によって構成される。復号化部３０２は、査証発行装置２の暗号化部２０２によって施された暗号を復号化する機能を有する。顔画像復元部３０３は、復号化した２次元バーコードの情報から顔画像情報Ａ（図示せず）を復元する機能を有する。
【００１８】
ＩＣ旅券情報読取部３０４は、ＩＣ旅券６に設けられているＩＣチップの顔画像情報Ｂを読み取る機能を有する。カメラ画像取得部３０５は、カメラ部４で生成された顔画像情報Ｃを取得する機能を有する。
そして、顔画像比較部３０６は、顔画像復元部３０３、ＩＣ旅券情報読取部３０４およびカメラ画像取得部３０５のそれぞれから顔画像情報Ａ〜Ｃを取得し、取得した顔画像情報Ａ〜Ｃのそれぞれを比較することによって、顔画像情報Ａ〜Ｃが同一人物から得られた顔画像であるか否かを判定する機能を有する。
表示処理部３０７は、顔画像比較部３０６による判定の結果を表示部３０８に表示させる機能を有する。そして、表示部３０８は、具体的には、ディスプレイなどからなり、表示処理部３０７が指示した内容を表示する機能を有する。
なお、本実施形態において、カメラ部４は、本人確認装置３の外部装置であるとしたが、これに限らず、本人確認装置３に含まれる構成としてもよい。
【００１９】
なお、査証発行装置２における各部２０１〜２０４、および本人確認装置における各部３０１〜３０７は、図示しないＲＡＭ（Random Access Memory）や、ＨＤ（Hard Disk）に格納された査証発行プログラムや、本人確認プログラムがＲＯＭ（Read Only Memory）などに展開され、ＣＰＵ（Central Processing Unit）が、実行することにより具現化する。
【００２０】
次に、図１を参照しつつ、図２に沿って査証発行装置２における査証発行方法を説明する。
図２は、本実施形態に係る査証発行方法における処理の流れを示すフローチャートである。
なお、処理に先立って、ＩＣ旅券６のＩＣチップには、顔画像情報が、所定の手順により格納されているものとする。
まず、査証発行装置２にＩＣ旅券６がセットされると、顔画像読取部２０１が、ＩＣ旅券６のＩＣチップから顔画像情報を読み取る（Ｓ１０１）。
次に、顔画像読取部２０１は、読み取った顔画像情報を、暗号化部２０２へ送り、暗号化部２０２は、送られた顔画像情報に暗号化を施す（Ｓ１０２）。
暗号化部２０２は、暗号化された顔画像情報をバーコード部２０３へ送り、バーコード部２０３は、送られた顔画像情報を２次元バーコードの情報へ変換する（Ｓ１０３）。
そして、バーコード部２０３は、変換した２次元バーコードの情報を印刷部２０４へ送り、印刷部２０４は、送られた２次元バーコードの情報を、特殊なインクを用いて査証面上に印刷する（Ｓ１０４）ことによって、顔情報付査証５が発行される。なお、特殊なインクとは、所定の波長の電磁波によって視認可能となるインクである。例えば、可視光下では透明だが、紫外線を照射すると視認可能となるインクなどを用いて印刷される。
当該手順で発行された顔情報付査証５は、ＩＣ旅券６に貼付される。
【００２１】
次に、図１を参照しつつ、図３に沿って本人確認装置３における本人確認方法を説明する。
図３は、本実施形態に係る本人確認方法における処理の流れを示すフローチャートである。
まず、本人確認装置３の査証情報読取部３０１に顔情報付査証５がセットされると、査証情報読取部３０１が、顔情報付査証５面上に印刷されている２次元バーコードの情報を読み取る（Ｓ２０１）。前記したように、紫外線照射によって視認可能となるインクを用いて、２次元バーコードを印刷した場合、ステップＳ２０１の処理は、例えば、以下のような手順で行われる。すなわち、図示しない紫外線照射部が、顔情報付査証５の面に紫外線を照射し、この紫外線照射の結果、視認可能となった２次元バーコードを査証情報読取部３０１が読み取る。
【００２２】
査証情報読取部３０１は、読み取った２次元バーコードの情報を復号化部３０２へ送り、復号化部３０２は、送られた２次元バーコードの情報を復号化する（Ｓ２０２）。
顔画像復元部３０３は、復号化した２次元バーコードの情報から、顔画像情報Ａを復元する（Ｓ２０３）。そして、顔画像復元部３０３は、復元した顔画像情報Ａを、顔画像比較部３０６へ送る。
【００２３】
続いて、ＩＣ旅券情報読取部３０４が、ＩＣ旅券６に設けられているＩＣチップから、ＩＣチップに格納されている顔画像情報Ｂを読み取る（Ｓ２０４）。ＩＣ旅券６読取部は、読み取った顔画像情報Ｂを、顔画像比較部３０６へ送る。
また、入国ブースに備えられているカメラ部４で、ＩＣ旅券６および顔情報付査証５の所有者の顔が撮影され、撮影された顔写真を基に、顔画像情報Ｃを生成し、カメラ部４は、本人確認装置３のカメラ画像取得部３０５へ生成した顔画像情報Ｃを送り、本人確認装置３のカメラ画像取得部３０５は、送られた顔画像情報Ｃを取得する（Ｓ２０５）。顔画像情報Ｃを取得したカメラ画像取得部３０５は、顔画像比較部３０６へ、取得した顔画像情報Ｃを送る。ステップＳ２０５の処理は、例えば、デジタルカメラなどで、ＩＣ旅券６および顔情報付査証５の所有者の顔を撮影するなどして、顔画像情報Ｃを生成する。カメラ部４は、生成した顔画像情報Ｃを顔画像比較部３０６へ送る。
【００２４】
顔画像比較部３０６は、送られた顔画像情報Ａ，Ｂ，Ｃを比較し、これらが同一人物から得られた顔画像であるか否かを判定する（Ｓ２０６）ことによって、顔情報付査証５の偽変造の有無を判定する。
ステップＳ２０６の判定の結果、顔画像比較部３０６が、同一人物から得られた顔画像ではないと判定した場合（Ｓ２０６→Ｎｏ）、表示処理部３０７が、表示部３０８に同一人物ではない旨の警告を表示させる（Ｓ２０７）。
ステップＳ２０６の判定の結果、顔画像比較部３０６が、同一人物から得られた顔画像であると判定した場合（Ｓ２０６→Ｙｅｓ）、表示処理部３０７が、表示部３０８に同一人物である旨の表示をさせる（Ｓ２０８）。
そして、出国時には、該顔情報付査証５の再使用を防止するため、顔情報付査証５面上の２次元バーコードの箇所にスタンプを押印する（図示せず）。
【００２５】
なお、ステップＳ２０１において、査証情報読取部３０１が、顔情報付査証５面上に印刷されているコンピュータ読取可能な文字を読み込んで、当該文字が示す情報を表示処理部３０７が表示部３０８に表示させてもよい。
【００２６】
ここで、図４および図５を参照して、本実施形態に係る顔情報付査証５の申請から出入国審査までの手順を説明する。なお、図４〜図７において、ＩＣ旅券６と、顔情報付査証５とは、便宜上分離した状態で描画されているが、実際には、顔情報付査証５は、ＩＣ旅券６に貼付された状態となっている。
図４は、本実施形態に係る顔情報付査証の申請から発給までの手順を示す図である。
まず、申請者１０１は、ＩＣ旅券６、申請者１０１自身の顔写真が添付されている申請書１００などを、在外公館へ提出することによって、顔情報付査証５の申請を行う。
次に、在外公館の職員によって申請書１００の内容などが審査され、当該職員がＯＫの判断を下すと、職員によってＩＣ旅券６が査証発行装置２にかけられる。査証発行装置２は、ＩＣ旅券６のＩＣチップに格納されている顔画像情報を読み取り、暗号化を施した後に、２次元バーコードとして査証面上に印刷することによって、顔情報付査証５を発行する。発行された顔情報付査証５は、顔写真が貼付された後、ＩＣ旅券６に貼付され、申請者１０１に渡されることによって顔情報付査証５が発給される。
【００２７】
図５は、本実施形態に係る入国審査の手順を示す図である。
図５において、ＩＣ旅券６に関する審査は、図７を参照して後記する手順と同様であるため、説明を省略し、顔情報付査証５に関する審査の手順のみ記述することとする。
国際空港に到着した出入国者１０２は、入国審査において、ＩＣ旅券６と、顔情報付査証５とを審査官にわたす。
入国審査官は、渡された顔情報付査証５と、ＩＣ旅券６とを順に、本人確認手段にかける。
さらに、入国ブースに設けられたカメラ部４で、出入国者１０２の顔が撮影されることにより、顔画像情報Ｃが本人確認装置３に入力される。
本人確認装置３は、顔情報付査証５と、ＩＣ旅券６と、カメラ部４とから入力された顔画像情報を比較することにより、顔情報付査証５の偽変造の有無を判定する。
出国の手順に関しては、図７と同様であるため、図７において後記し、ここでは説明を省略する。
【００２８】
ここで、図６および図７を参照して、現況における査証の申請から出入国審査までの手順を比較例として説明する。
図６は、比較例に係る査証の申請から発給までの手順を示す図である。
まず、申請者１０１は、ＩＣ旅券６、申請者１０１自身の顔写真が添付された申請書１００などを、在外公館へ提出することによって、査証５’の申請を行う。
次に、在外公館の職員によって申請書１００の内容などが審査され、当該職員がＯＫの判断を下すと、査証発行装置２’によって申請者１０１の顔写真付きの査証５’（写真付査証）が発行される。発行された査証５’が、申請者１０１に渡されることによって、査証５’の発給が完了する。
なお、発行される査証５’が、ＭＲＶであれば、査証発行装置２’は、査証５’面上に印刷される文字列を、コンピュータが読み取り可能な文字列として査証５’面上に印刷する。
【００２９】
図７は、比較例に係る出入国審査の手順を示す図である。
国際空港に到着した出入国者１０２は、査証５’と、ＩＣ旅券６を入国審査官に提出する。そして、入国審査官によって当該ＩＣ旅券６がＩＣ旅券確認装置１０３にかけられ、ＩＣ旅券６に設けられたＩＣチップに格納されている顔画像情報がＩＣ旅券確認装置１０３によって読み取られ、表示部３０８に読み出された顔画像が表示される。
表示された顔画像と、本人の顔とを入国審査官が目視することによって、本人確認を行ったり、図示しないカメラで撮影された結果生成される顔画像情報と、ＩＣ旅券６から読み取った顔画像情報とを、図示しない本人確認装置３が照合することによって本人確認を行ったりする。
このとき、査証５’に貼付されている顔写真と、本人の顔とを入国審査官が目視によって比較することにより、本人確認を行う。
また、査証５’がＭＲＶであれば、入国審査官によって、査証５’（ＭＲＶ）が光学読取装置（図示せず）にかけられ、光学読取装置が読み取った査証５’面上の文字情報が、図示しない表示部３０８に表示される。
【００３０】
出国の際には、出入国者１０２は、出国審査官にＩＣ旅券６を提出する。出国審査官によって、当該ＩＣ旅券６がＩＣ旅券確認装置１０３にかざされる。これ以降の処理は、入国時と同様のため、説明を省略する。
【００３１】
以下、図１、図４および図５を適宜参照して、本実施形態の効果を説明する。
比較例（図７参照）における査証のチェックは、基本的に入国審査官による目視であるため、入国審査にかかる１人あたりの審査時間がかかる傾向がある。さらに、目視によるチェックのため、入国審査官が、偽造査証を看過するおそれがある。
このような問題に対し、本実施形態では、本人確認装置３内で顔画像の比較を行い、偽造査証のチェックを行うため、１人あたりの審査時間を減少させることが可能となり、また入国審査官の負担を減少させることが可能となる。そして、本人確認装置３内で顔画像を比較することにより、偽造査証の看過を防止することが可能となる。
【００３２】
なお、本実施形態における査証偽変造対策システム１を、消費者金融機関などで使用されている無人契約機に適用することも可能である。
すなわち、無人契約機では、旅券を身分証明書とすることが可能であるが、本実施形態における顔情報付査証５を身分証明書として、旅券と共に用いてもよい。
このとき、この無人契約機に、本実施形態で記載した本人確認装置３の機能を内蔵させてもよい。
【００３３】
本実施形態によれば、顔情報付査証５に印刷されている２次元バーコードから復元された顔画像情報、ＩＣ旅券６のＩＣチップに格納されている顔画像情報、および入国ブースにおいて撮影された入国者の顔画像情報といった３つの顔画像情報を比較することにより、本人確認を行っている。そのため、顔写真の張り替えなどによる顔情報付査証５の偽変造を困難にすることができる。
そして、顔情報付査証５に貼付されている顔写真を読み込む必要がないので、読取性能の低い機器を用いて実現することができる。
【００３４】
さらに、例えば特許文献１に記載されている技術を用いて顔情報付査証５を作成する場合において、査証に顔画像情報を格納する際、すなわち顔情報付査証５の発行時に、生体情報（顔画像情報）を提供するために、本人が大使館を訪れなければならないといった問題があった。
このような問題に対し、本実施形態では、ＩＣ旅券６のＩＣチップに格納されている顔画像情報を、査証面上へ移すことにより、例えば代理人がＩＣ旅券６を持参すれば、顔情報付査証５を作成することが可能であり、申請者１０１本人が在外公館を訪れる必要がない。
【００３５】
また、ＩＣ旅券６のＩＣチップに格納されている顔画像情報を、２次元バーコードに変換した上で、査証面上にコピーするため、コストの削減が可能となる。すなわち、査証発行装置２の顔画像読取部２０１としては、ＩＣチップリーダさえ用意すればよく、顔画像を撮影するためのカメラや、カメラに付随するフラッシュなどを査証発行装置２に設ける必要がない。従って、安価に査証発行装置２を構成でき、コストの削減が可能となる。さらに、顔画像を撮影するための部屋などを在外公館に設ける必要がない。従って、小さなスペースに査証発行装置２を設置することが可能となる
【００３６】
また、欧州の一部の国や、アメリカでは、査証に生体情報を搭載する生体情報搭載ビザ発給システムが導入されている。当該システムで用いられる生体情報は、ＩＣチップに格納することが前提となっている。
このような生体情報搭載ビザ発給システムでは、ＩＣ旅券６に、生体情報が格納されているＩＣチップが設けられている査証を貼付する。そのため、ＩＣ旅券６のＩＣチップと、査証のＩＣチップとが重複する形になってしまう。このため、ＩＣ旅券６のＩＣチップから送信される情報と、査証のＩＣチップから送信される情報とが、重畳してしまい、読み取りが困難になってしまう状況が発生しているという問題がある。
このような問題に対し、本実施形態では、顔画像情報を２次元バーコードとして顔情報付査証５面に印刷することにより、ＩＣチップから送信される情報を一元化し、情報の重畳を防止している。
【００３７】
さらに、２次元バーコード内に顔画像情報以外の本人識別情報を格納してもよい。このようにすることによって、本人確認装置３が、当該顔情報付査証５の使用履歴を取得することも可能である。すなわち、本人確認装置３が、本人識別情報を格納する識別情報データベースをさらに有し、本人確認装置３が読み取った本人識別情報をキーに、当該識別情報データベースを検索して、一致するデータベース内の本人識別情報が存在する場合は、当該本人識別情報にひもづけされた使用履歴を＋１する。
【００３８】
さらに、バーコード部２０３が、顔画像情報を２次元バーコードに変換する際に、顔画像情報の圧縮、または顔画像情報の一部の省略（顔画像情報の間引き）を行ってもよい。このようにすることで、２次元バーコードの情報量を削減することが可能となる。
【００３９】
また、本実施形態における顔情報付査証５は、ＭＲＶに２次元バーコードを印刷しているが、ＭＲＶに限らず、ＭＲＶ以外の査証に２次元バーコードを印刷してもよい。
さらに、本実施形態では、生体情報を顔画像情報であるとしたが、これに限らずＩＣ旅券６のＩＣチップに格納されている生体情報であれば、指紋情報なども可能である。
【図面の簡単な説明】
【００４０】
【図１】本実施形態に係る査証偽変造対策システムの機能ブロック図である。
【図２】本実施形態に係る査証発行方法における処理の流れを示すフローチャートである。
【図３】本実施形態に係る本人確認方法における処理の流れを示すフローチャートである。
【図４】本実施形態に係る顔情報付査証の申請から発給までの手順を示す図である。
【図５】本実施形態に係る入国審査の手順を示す図である。
【図６】比較例に係る査証の申請から発給までの手順を示す図である。
【図７】比較例に係る出入国審査の手順を示す図である。
【符号の説明】
【００４１】
１      査証偽変造対策システム
２，２’  査証発行装置
３      本人確認装置
４      カメラ部
５      顔情報付査証（生体情報付査証）
５’    査証
６      ＩＣ旅券
１００  申請書
１０１  申請者
１０２  出入国者
１０３  ＩＣ旅券確認装置
２０１  顔画像読取部（生体情報読取部）
２０２  暗号化部
２０３  バーコード部（データコード部）
２０４  印刷部
３０１  査証情報読取部
３０２  復号化部
３０３  顔画像復元部（生体情報復元部）
３０４  ＩＣ旅券情報読取部
３０５  カメラ画像取得部（第３生体情報取得部）
３０６  顔画像比較部（生体情報比較部）
３０７  表示処理部
３０８  表示部
【図１】
2008179014.tif 000003
【図２】
2008179014.tif 000004
【図３】
2008179014.tif 000005
【図４】
2008179014.tif 000006
【図５】
2008179014.tif 000007
【図６】
2008179014.tif 000008
【図７】
2008179014.tif 000009